(57)【要約】本発明は、目立たない態様でもって女性の乳房から母乳を搾乳するとともに、搾乳した母乳を、乳房の側方や下方に配置した収集容器（２１２）内に収集するための、システム（１１２）および方法に関するものである。本発明によるシステム（１１２）は、搾乳機構（１１４）を具備している。搾乳機構は、乳房をマッサージして乳房を刺激しこれにより搾乳を補助し得るための様々な機構（８０２，１００２，１２０２，１３０２，１５０２，１７０２，１９０２，２００２，２１０２，２３０２，２４０２，２６０２，２７０２）を備えている。システム（１１２）の動作時には、使用者の両手は、自由であり、そのため、使用者は、搾乳時に他の用事を行うことができる。
2005504587.tif 000002
【特許請求の範囲】
【請求項１】
母乳搾乳システムであって、
乳房を刺激し得るものとされた複数の加圧チャンバを備えた搾乳機構と；
乳房上に配置され得るよう構成されたフレキシブルな乳房シールドと；
この乳房シールドに対して取り付けられるとともに、乳房から搾乳した母乳の流れを案内し得るよう構成された収集カップと；
この収集カップに対して流体連通可能に取り付けられるとともに、搾乳した母乳を収集し得るよう構成された収集容器と；
を具備していることを特徴とする母乳搾乳システム。
【請求項２】
母乳搾乳システムであって、
フレキシブルな部材の長手方向に沿ってアレイ状でもって配置されて乳房を刺激し得るものとされた複数のビーズを備えた搾乳機構と；
乳房上に配置され得るよう構成されたフレキシブルな乳房シールドと；
この乳房シールドに対して取り付けられるとともに、乳房から搾乳した母乳の流れを案内し得るよう構成された収集カップと；
この収集カップに対して流体連通可能に取り付けられるとともに、搾乳した母乳を収集し得るよう構成された収集容器と；
を具備していることを特徴とする母乳搾乳システム。
【請求項３】
母乳搾乳システムであって、
乳房を刺激し得るものとされた複数の螺旋部材を備えた搾乳機構と；
乳房上に配置され得るよう構成されたフレキシブルな乳房シールドと；
この乳房シールドに対して取り付けられるとともに、乳房から搾乳した母乳の流れを案内し得るよう構成された収集カップと；
この収集カップに対して流体連通可能に取り付けられるとともに、搾乳した母乳を収集し得るよう構成された収集容器と；
を具備していることを特徴とする母乳搾乳システム。
【請求項４】
母乳搾乳システムであって、
複数のフレキシブルな部材を備えた搾乳機構であるとともに、それらフレキシブルな部材には、これらフレキシブルな部材を撓ませ得るよう構成されたアクチュエータが取り付けられ、これにより、乳房を刺激し得るものとされた、搾乳機構と；
乳房上に配置され得るよう構成されたフレキシブルな乳房シールドと；
この乳房シールドに対して取り付けられるとともに、乳房から搾乳した母乳の流れを案内し得るよう構成された収集カップと；
この収集カップに対して流体連通可能に取り付けられるとともに、搾乳した母乳を収集し得るよう構成された収集容器と；
を具備していることを特徴とする母乳搾乳システム。
【請求項５】
母乳搾乳方法であって、
母乳をポンピングする必要性を決定し；
少なくとも一方の乳房に対して乳房シールドを配置することによって、その乳房を前記乳房シールドによりシールし、前記乳房シールドに対して母乳収集容器と搾乳機構とを取り付け、さらに、前記搾乳機構を制御し得る少なくとも１つの使用者入力パラメータを設定することにより、母乳収集ユニットを準備し；
収集容器へと案内することによって母乳をポンピング収集し；
十分な量の母乳がポンピング収集されたことを決定し；
前記ポンピング収集を終了させ；
前記収集容器を、取り外してシールしさらに貯蔵し；
前記搾乳機構を取り外す；
ことを特徴とする方法。
【請求項６】
請求項５記載の方法において、
さらに、
前記母乳ポンピング収集システムを洗浄し；
前記母乳ポンピング収集システムを格納する；
ことを特徴とする方法。
【発明の詳細な説明】
【技術分野】
【０００１】
本発明は、ヒトの母乳分泌システムの分野に関するものであり、より詳細には、乳房刺激機構を備えているような、改良されたハンズフリー型母乳搾乳システムに関するものである。
【背景技術】
【０００２】
近年、乳児を母乳で育てる女性の数が、着実に増加している。母乳で育てることは、栄養摂取の面からもまた心理学的な面からも、母親と子供との双方にとって、最良の授乳方法であると考えられている。女性が乳児に授乳する場合の通常的手法は、乳児に対して乳房から直接的に授乳することである。しかしながら、いろんな事情によって、女性が乳児に対して乳房から直接的に授乳することが、不便であったり不可能であったりする場合もある。そのような状況の例としては、母親が仕事をしていて仕事場に乳児を一緒に連れていけない場合や、乳児が早産であって母乳を飲むことができない場合や、授乳が不適切となるような治療を母親が受けていることのために一定期間は乳児に対して母乳を与えられない場合、がある。加えて、実際的な問題として、例えば父親といったような他の人が、乳児に対して授乳を行うことが望ましい場合もある。
【０００３】
乳房からの直接的な授乳が不可能である状況下で子供に対して母乳を与えようとするときには、多くの場合、母乳搾乳という代替手法が使用される。母乳搾乳のための搾乳ポンプシステムは、周知である。搾乳ポンプシステムにおいては、母乳の搾乳を補助するための真空吸引力を形成し得るよう、電気的手段や機械的手段が使用される。従来より、そのようなシステムは、漏斗部材を備えている。この漏斗部材を女性の乳房に押し当てることによって、乳頭に対しての真空吸引力の印加と、搾乳した母乳の収集と、の双方が行われる。真空吸引力は、漏斗部材を介して乳頭から母乳を搾乳し、搾乳された母乳は、その後の使用のために、母乳容器内に収集される。
【０００４】
母乳収集に影響を与えるものとして、多くの生理学的要因や心理学的要因が存在する。重要な要因は、母乳収集を開始するための乳房の刺激である。例えば、特に乳輪や乳頭のエッジといったような場所において、乳房を刺激することによって、プロラクチンホルモンの放出が引き起こされる。このホルモンは、乳管に対して直接的に作用し、これにより、乳管が拡張して開放される。このような現象は、乳児の口が乳房に吸い付いた時に、起こる。その後、乳児は、唇や舌によって、乳輪や乳頭を刺激することとなる。
【０００５】
乳頭の周辺領域をある程度刺激し得るものとして、様々な漏斗部材や乳房カップが開発されている。しかしながら、この領域だけを刺激したとしても、満足な量の母乳収集を誘発するには不十分である。このような漏斗部材を使用する場合の主要な欠点は、乳頭の周辺領域以外の乳房領域を適切に刺激できないことである。このような漏斗部材を使用する場合に見受けられる第２の欠点は、漏斗部材が、フレキシブルさに乏しい材質から形成されていて、乳房の形状に十分に適合し得ないことである。このため、使用者は、ある種の不快感を感じる。乳房を刺激できることに加えて、搾乳ポンプは、快適に使用し得るものであるべきであり、乳房カップは、ソフトであり、かつ、様々な形状やサイズの乳房に対して適合し得るものであるべきである。同時に、搾乳ポンプは、容易に使用し得るものでなければならない。
【０００６】
典型的には、母乳の搾乳に際しては、母親が手を使用することによって、ポンプや容器を操作することが必要とされる。そのため、すべての注意がプロセスに対して向けられなければならない。この問題点を解決するために、ハンズフリー型の搾乳ポンプ支持デバイスが、既に開発されている。しかしながら、このようなデバイスは、多くの構成部材から構成されており、使用が非常に複雑であるとともに、使用が困難であって、面倒なものであった。よって、このようなデバイスは、真の意味でのハンズフリー操作を行うには、実質的に不十分なものである。また、多くのハンズフリーデバイスは、邪魔な態様でもって乳房上に搾乳ポンプおよび収集瓶を単に保持するに過ぎない。このようなデバイスでは、母親は、他の用事をしながら、目立たずに搾乳を行うことはできない。加えて、このようなデバイスは、複雑な構造となっていることが多いために、多くの女性は、使用を拒むことが多い。
【０００７】
したがって、目立たない態様でもって女性が母乳を搾乳することを可能とし得るような、使用が容易でありかつハンズフリー型とされた、収集容器付きの、母乳搾乳システムが、要望されている。このようなシステムにおいては、母乳搾乳デバイスの搾乳機構と漏斗部材とを各乳房に押し当てて同時に支持し得ることが、望ましい。母乳搾乳システムは、授乳を行う母親が着用することができて、両手を自由として子供の面倒を見たりあるいは他の用事をしたりし得るような、時間節約タイプのデバイスであることが望ましい。なお、本出願人の知る限りにおいては、本出願に関連性を有する先行技術文献は存在しない。
【発明の開示】
【課題を解決するための手段】
【０００８】
本発明によるシステムおよび方法は、単独では望ましい寄与をもたらさないような、複数の特徴点を有している。特許請求の範囲における表現に限定されることなく、本発明のいくつかの顕著な特徴点について、以下簡単に説明する。以下の議論を考察することにより、特に、発明の詳細な説明を読むことにより、本発明によるシステムおよび方法における各特徴点が、従来技術によるシステムおよび方法と比較して、様々な利点をもたらすことが理解されるであろう。
【０００９】
本発明の一見地においては、システムは、母乳搾乳システムとして規定され、フレキシブルな乳房シールドと；この乳房シールドに対して取り付けられたカップと；この収集カップに対して取り付けられていて、搾乳した母乳を収集し得るよう構成された収集容器と；乳房を刺激し得る搾乳機構と；を具備している。一実施形態においては、収集容器とカップとは、フレキシブルなダクトを介して連結され、収集容器は、外側容器と内側容器とを有している。代替可能な実施形態においては、収集容器は、乳房シールドに対して直接的に連結され、乳房の直下に配置されて母乳を収容するフレキシブルバッグを有している。
【００１０】
他の見地においては、搾乳機構は、複数の加圧チャンバを備えている。これら加圧チャンバは、例えば空気といったような流体によって充填されており、サイクル的に加圧され、これにより、乳房が刺激される。他の見地においては、複数の加圧チャンバは、乳房上において、複数列をなして配置される。
【００１１】
さらに他の見地においては、搾乳機構は、フレキシブルな部材に対して取り付けられた複数のビーズを備えている。アクチュエータが、フレキシブルな部材を駆動することにより、複数のビーズが、乳房上において転動することとなる。他の実施形態においては、アクチュエータによって、複数のビーズが、乳房上において揺動的に転動される。
【００１２】
なおも他の見地においては、搾乳機構は、複数のフレキシブルな部材を備えている。アクチュエータが、これらフレキシブルな部材を駆動することにより、乳房に対してのフレキシブルな部材の当接領域（押圧領域）が、乳房上において転動することとなる。他の見地においては、電流によって、乳房上におけるフレキシブル部材の当接領域の転動が引き起こされる。
【００１３】
他の見地においては、搾乳機構は、伝達リングに対して連結された複数の螺旋部材を備えている。アクチュエータが、これら複数の螺旋部材を駆動することにより、螺旋部材の回転が引き起こされ、これにより、乳房に対して圧力が印加される。他の見地においては、搾乳機構は、圧縮部材と張力部材とを有してなる収縮リングを備えている。収縮リングは、圧縮部材と張力部材とによって拡縮される。
【発明を実施するための最良の形態】
【００１４】
本発明の上記のおよび他の目的や特徴点は、添付図面を参照しつつ、以下の説明や特許請求の範囲を読むことにより、より完全に明瞭となるであろう。添付図面においては、同じ参照符号は、同一の部材または機能的に同様の部材を示している。
【００１５】
以下においては、本発明のいくつかの実施形態について、添付図面を参照して説明する。添付図面においては、同じ参照符号は、同一の同様の部材を示している。本発明において使用されている用語や表現は、ある特定の実施形態を詳細に説明するために単に使用されているだけであって、本発明を何ら制限するものではない。さらに、本発明の実施形態は、複数の新規な特徴点を有することができ、いずれもが、望ましい特性に関するものであって、本発明の実施に際して重要である。
【００１６】
本発明は、広義には、母乳で育てる母親から母乳を搾乳するための、新規でありかつ改良されたシステムに関するものである。ある実施形態においては、本発明による装置は、母親が、両手を自由として他の用事をしながらでも、右と左との両方の乳房から同時に母乳を収集することを可能とする。しかしながら、システムを使用して、一度に片方の乳房ずつから搾乳することもできる。
【００１７】
図１は、母乳搾乳システムを構成している各構成部材を示す概略的なブロック図である。システムは、コントローラ（１０２）に対して接続された電源（１００）を備えている。例えば、Ａ／Ｃ電源や、Ａ／ＣからＤ／Ｃへのコンバータや、あるいは、バッテリ充電回路（１０１）およびバッテリ（１０３）、といったように、様々なタイプの電源（１００）を想定することができる。コントローラ（１０２）により、使用者は、使用者入力（１０４）を入力して、詳細に後述するように、システム構成要素に関しての例えば圧力や速度や周波数といったような様々なパラメータを制御することができる。コントローラ（１０２）は、例えば圧力や母乳流量や容器の充填レベルや母乳品質やあるいは脈拍や血圧といった母親の体調状況といったような様々なパラメータを決定するための複数のセンサ（１０６）からの入力を、受領する。コントローラ（１０２）は、また、光や音や音声フィードバックなどを使用して、様々な使用者表示（１０８）を行う。これにより、使用者は、コントローラ（１０２）の設定を決定することができ、様々なセンサからの情報を得ることができる。コントローラ（１０２）は、詳細に後述するようにしてシステム内の各構成要素を駆動するための、例えばサーボモータやＤＣモータといったような、モータ（１１０）を制御する。コントローラ（１０２）は、プログラム可能な論理チップを有することができ、これにより、使用者入力に基づく制御や、各センサの位置の制御や、使用者情報表示の制御、などを行うことができる。
【００１８】
図示のように、システムは、さらに、母乳収集システム（１１２）と搾乳機構（１１４）とを備えている。これらについては、詳細に後述する。モータ（１１０）は、伝達デバイス（１１６）とエネルギー貯蔵デバイス（１１８）と機械的連結部材（１２０）とを介することによって、母乳収集システム（１１２）と搾乳機構（１１４）とに対して、接続することができる。コントローラ（１０２）は、使用者に対して、搾乳機構の手動制御、および／または、タイマーや母乳の搾乳の終了を検出する流量制御センサを使用することによる搾乳機構の自動制御、をもたらす。各構成要素は、所望の目的が得られるよう、格別に構成されており、互いに関連している。
【００１９】
［母乳収集システム］
図２および図３には、母乳収集システム（１１２）の一実施形態が示されている。搾乳機構（１１４）と、コントローラ（１０２）と、モータ（１１０）とは、明瞭化のために、これらの図においては、図示が省略されている。図２には、ブラジャー（２０２）、あるいは、母親が着用し得るような他のベスト状衣類製品、が示されている。ブラジャーは、従来的な材質から形成することができ、乳房の刺激を補助し得るよう、加熱機構（図示せず）と冷却機構（図示せず）とを有することができる。
【００２０】
図３に示すように、母親の乳房に対する当接は、ブラジャー（２０２）の各カップの内面上における一対をなす乳頭シールド（３０２）を介して、行われる。各シールド（３０２）は、全体的に円錐形のものとして形成されており、母親の乳房上に配置可能とされている。乳房シールド（３０２）は、乳房に対して当接することによってシールをもたらし、これにより、システムから母乳がこぼれてしまうことを防止するとともに、周囲空気の過度の還流を防止することによって真空吸引力の印加を可能とする。シールは、シールド内に真空吸引圧力を生成することによって、あるいは、ゲルシールを使用することによって、あるいは、接着剤を使用することによって、形成することができる。シールド（３０２）は、乳房の形状に適合し得るよう、フレキシブルなプラスチック材料から、あるいは、グリセリンベースの製品から、形成することができる。真空吸引力駆動ユニット（図示せず）によって、真空吸引圧力を生成することができ、ダクト（２０６）または他の適切な連結部材を介して伝達することができる。
【００２１】
各シールド（３０２）は、さらに、中央位置決め開口（３０４）を有するものとして形成されている。乳頭カップ（２０４）が、開口（３０４）上に取り付けられている。乳頭カップ（２０４）は、乳頭を囲むとともに、搾乳された母乳を収集する。図３の実施形態においては、乳頭カップ（２０４）は、開口（３０４）の外側部分に対してスナップ結合されている。しかしながら、任意の取付機構を使用することができる。各カップ（２０４）に対しては、搬送チューブまたは搬送ダクト（２０６）が取り付けられている。図示のように、カップは、ダクト（２０６）に対しての連結を維持し得るよう、ダクト（２０６）に対して当接する複数のリッジを有することができる。しかしながら、連結を維持するためには、クリップや他の任意の機構を使用することができる。図２の場合には、右側の乳房上のカップ（２０４）に対して連結されたダクト（２０６）には、母親の身体のまたは乳房の右側に配置されたフィッティングすなわちキャップ（２０８）が取り付けられている。左側の乳房上のカップ（２０４）に対して連結されたダクト（２０６）には、母親の身体のまたは乳房の左側に配置されたキャップ（２０８）が取り付けられている。ダクト（２０６）は、カップ（２０４）およびキャップ（２０８）に対して、着脱可能に取り付けることができる。これにより、使用後の洗浄を容易なものとすることができる。各キャップ（２０８）には、例えばネジやクランプや接着剤といったような、使用者によって収集容器（２１２）を取り外すことができるけれどもキャップ（２０８）に対して取り付けられた状態では母乳をこぼしてしまうことがないような従来的手段によって、収集容器（２１２）が取り付けられている。キャップ（２０８）と収集容器とを固定するに際しては、周知の他の手段を使用することもできる。これにより、カップ（２０４）において収集された母乳は、ダクト（２０６）およびキャップ（２０８）を通して搬送され、乳房の側方において身体上に配置された容器（２１２）内に収集される。
【００２２】
図４は、収集容器（２１２）の一実施形態を側断面図で示している。収集容器（２１２）は、キャップ（２０８）に対して連結された外側容器（４０２）を備えている。一方向バルブ（４０４）が、キャップ（２０８）の開口（４０６）のところに配置されている。これにより、収集容器（２１２）からカップ（２０４）に向けて戻るような母乳の逆流が実質的に防止されている。ダクト（２０６）は、キャップ（２０８）のノズル（４０８）に対して取り付けられている。一実施形態においては、ダクト（２０６）は、摩擦係合によって、ノズル（４０８）に対して取り付けることができる。これに代えて、ノズル（４０８）とダクト（２０６）との双方に、ネジ山を設けることができ、これにより、ダクトを、キャップ（２０８）上に螺着することができる。一方向バルブ（４０４）は、好ましくは、フレキシブルでありかつ耐久性がありかつ非毒性でありかつ母乳に対して適合性を有した材料から形成される。一方向バルブ（４０４）は、例えば、フラッパーバルブや、ポペットや、３つの尖状物（tri-cuspid）、とすることができる。しかしながら、カップ（２０４）から収集容器（２１２）内へと母乳を円滑に挿通させ得るとともに母乳の逆流を防止し得る限りにおいては、任意のタイプの一方向バルブを使用することができる。一方向バルブ（４０４）は、これに代えて、ダクト（２０６）の一部としてダクト内に組み込むこともできる。
【００２３】
外側容器（４０２）は、好ましくは、押圧されたり強打されたりした場合であっても容易には圧潰されないようなタイプの、剛直なまたは半剛直な材料から形成される。内側容器（４１０）が、この内側容器の開口をダクト（２０６）に向けた所定状態でもって保持されるようにして、外側容器（４０２）の内部に配置されている。図示の場合には、内側容器（４１０）のリム（４１２）が、外側容器（４０２）とキャップ（蓋）（２０８）との間の摩擦係合によって、保持されている。外側容器（４０２）は、さらに、壁上に、第２の真空吸引ダクト（４１４）を有している。この真空吸引ダクト（４１４）を介することによって、外側容器（４０２）内が真空吸引され、これにより、内側容器（４１０）が、外側容器（４０２）の内壁に対して適合した形状をなす。このことは、内側容器（４１０）内への母乳の収集を補助する。内側容器（４１０）は、母乳の収容に関して適切であるようなプラスチック製の非毒性バッグとすることができる。内側容器は、哺乳瓶内へと直接的に移すことができる。
【００２４】
図５は、収集システム（１１２）の他の実施形態を示している。この収集システムは、乳房シールド（３０２）（図示せず）を付帯した乳房に対して同様に取り付けられる。この場合には、収集容器（５０２）が直接的に取り付けられる。収集容器（５０２）は、プラスチックや母乳貯蔵に適した他の材料から形成されたフレキシブルなバッグとすることができる。収集容器（５０２）は、身体に隣接しつつ乳房の下方において、母乳を貯蔵する。図６は、収集容器（５０２）が、シールド（３０２）と収集容器（５０２）との間における漏れを防止し得るようにしてシールド（３０２）に対して取り付け得るリム（６０２）を有していることを、示している。
【００２５】
図７は、収集容器（１１２）の他の実施形態を示している。この収集システムは、シールド（３０２）を付帯した乳房に対して同様に取り付けられる。この場合には、乳頭カップ（２０４）に対して連結される。図示の場合には、ダクト（２０６）が、上述したのと同様の態様で、各カップ（２０４）に対して取り付けられている。しかしながら、双方のダクト（２０６）には、単一のキャップ（７０８）が連結されている。キャップ（７０８）には、単一の収集容器（７１２）が取り付けられている。この収集容器（７１２）は、身体に隣接しつつ両乳房の中間においてかつ下方において、母乳を貯蔵する。収集容器（７１２）は、上述したようにして、内側容器と外側容器とを有することができる。
【００２６】
［搾乳機構］
図８は、ブラジャー（２０２）に対して取り付けられた搾乳機構（１１４）を示している。この場合、収集システム（１１２）の図示は、明瞭化のために省略されている。搾乳機構は、乳頭から母乳を搾乳し得るよう、ブラジャー（２０２）によって乳房に対して保持された一連をなす複数の加圧チャンバ（８０２）により、乳房に対して作用する。複数の加圧チャンバ（８０２）に対しては、好ましくは圧縮空気といったような、加圧流体が供給されている。複数の加圧チャンバ（８０２）は、膨張することによって、乳房に対しての当接領域を押圧し、これにより、乳房を刺激する。加圧が解除されたときには、複数の加圧チャンバ（８０２）が収縮し、乳房は押圧されない。複数の加圧チャンバ（８０２）は、乳頭の周囲において同心円状に配置されており（あるいは、他の放射状パターンでもって配置されており）、周期的に加圧を行うことができる。これにより、搾乳を補助し得るような、乳房に対しての圧力パターンを生成することができる。このシステムにおいては、複数の加圧チャンバ（８０２）に対して剛直な裏当て部材（図示せず）を使用することができる。各裏当て部材は、加圧チャンバの力を受けて、乳房に向けての圧力を維持する。
【００２７】
複数の加圧チャンバ（８０２）には、複数の加圧チャンバ（８０２）内において振動圧力を生成し得るものとされた加圧ポンプ（図示せず）が、接続される。使用者は、圧力や周波数や刺激パターンを、図１のコントローラ（１０２）によって制御することができ、乳房刺激効果を最大化することができる。
【００２８】
図９は、一実施形態において、加圧チャンバ（８０２）の内壁（９０２）が、場所によって相違する厚さを有していることを示している。好ましくは、内壁（９０２）は、乳頭から遠い壁部分においては、比較的薄いものとされており、なおかつ、乳頭に近い壁部分においては、比較的厚いものとされている。これにより、乳房上においては、場所によって相違する圧力が作用し、乳頭から遠い領域から乳頭に向けて振動波を生成することができる。
【００２９】
図１０は、複数列をなす複数の加圧チャンバ（１００２）を有しているような、他の実施形態を示している。複数の加圧チャンバ（１００２）は、加圧流体によって充填されており、上述したのと同様に、ポンプが接続されている。図１０は、複数列をなす複数の加圧チャンバ（１００２）を、周期的に加圧することができ、これにより、乳房に対しての圧力パターンを生成し得ることを、示している。図１１は、好ましくは、外側の列（１１０４）をなす加圧チャンバ（１００２）が、まず最初に加圧され、次に、中央の列（１１０６）をなす加圧チャンバ（１００２）が加圧され、最後に、内側の列（１１０８）をなす加圧チャンバ（１００２）が加圧され、これにより、乳頭から遠い領域から乳頭に向けて振動波を生成することができることを、示している。
【００３０】
図１２は、搾乳機構の他の実施形態（１２１４）を示している。この実施形態においては、一連をなす互いに個別的な複数の駆動ポイント（１２０２）を使用している。これら駆動ポイント（１２０２）は、乳房上において乳頭の周囲に配置されており、制御可能な刺激パターンをもたらす。各駆動ポイント（１２０２）に対しては、加圧流体が供給されている。互いに個別的な各駆動ポイント（１２０２）に対して流体圧力を印加するためのシステムは、当業者が必要な加圧システムを形成する場合に通常的に使用するような、任意のチューブとバルブとポンプとを有している。上記機能を満たし得るそのような任意のシステムを使用することにより、そのような機能を果たすことができる。いくつかの実施形態においては、そのような加圧システムは、ブラジャー（２０２）の一部を形成する。また、他の実施形態においては、そのような加圧システムは、ブラジャー（２０２）の一部に対して固定される。
【００３１】
いくつかの実施形態においては、加圧流体は、圧縮空気とされる。複数の駆動ポイント（１２０２）は、膨張することによって、乳房に対しての当接領域を押圧し、これにより、乳房を刺激する。加圧が解除されたときには、複数の駆動ポイント（１２０２）が収縮し、乳房は押圧されない。複数の駆動ポイント（１２０２）は、乳頭の周囲において同心円状に配置することができ（あるいは、他の放射状パターンでもって配置することができ）、周期的に加圧を行うことができる。これにより、搾乳を補助し得るような、乳房に対しての圧力パターンを生成することができる。使用者は、複数の駆動ポイント（１２０２）によって印加される圧力や周波数や刺激パターンを、コントローラ（１０２）（図１）によって制御することができ、乳房刺激効果を最大化することができる。このような実施形態においては、製造業者または使用者が、様々な加圧シーケンスを、コントローラ内に予めプログラムすることができる。コントローラの回路（図示せず）は、当業者には既知の必要な機能を果たし、適切なシーケンスに従って様々な個別駆動ポイントを加圧・減圧する。これにより、上述したような意図した機能が実行される。典型的なパターンにおいては、乳頭から最も遠い位置の駆動ポイント（１２０２）が、まず最初に加圧され、引き続いて、乳頭により近くに位置した各駆動ポイント（１２０２）が、順次的に加圧されていく。しかしながら、任意の加圧パターンを使用することができる。
【００３２】
図１３は、ブラジャー（２０２）に対して取り付けられた搾乳機構（１３１４）を示している。この場合、収集システム（１１２）の図示は、明瞭化のために省略されている。搾乳機構（１３１４）は、いくつかのフレキシブルな部材（１３０４）の各長手方向に沿ってアレイ状でもって配置された複数のボールや複数のローラや複数のビーズ（１３０２）によって、乳房に対して作用する。複数のフレキシブルな部材（１３０４）は、乳房の概形を形成し、複数のビーズ（１３０２）を乳房に対して押圧する。複数のフレキシブルな部材（１３０４）は、乳頭領域の上方にも下方にも配置することができる。
【００３３】
図１４は、アクチュエータ（１４０６）が、ブラジャー（２０２）に対して連結されていて、複数のフレキシブルな部材（１３０４）に対して作用することを、示している。アクチュエータ（１４０６）は、複数のビーズ（１３０２）が乳房に沿ってアクチュエータに向けた第１方向（１４０８）に移動するようにして、また、複数のビーズ（１３０２）が乳頭に向けた第２方向（１４１０）に移動するようにして、複数のフレキシブルな部材（１３０４）を引っ張る。一実施形態においては、複数のビーズ（１３０２）は、乳房に沿って転動する。複数のビーズの移動あるいは転動は、乳頭からの搾乳を引き起こし得るようなあるいは乳頭からの搾乳を補助し得るような、マッサージ効果をもたらす。モータ（１０６）（図１）が、アクチュエータ（１４０６）を回転駆動し、これにより、複数のフレキシブルな部材（１３０４）が引っ張られる。
【００３４】
一実施形態においては、複数のフレキシブルな部材（１３０４）は、弾性材料から形成されており、フレキシブルな部材（１３０４）の両端部のうちの、アクチュエータ（１４０６）とは反対側に位置した端部は、ブラジャー（２０２）に対して取り付けられている。アクチュエータ（１４０６）からの力が解除されたときには、フレキシブルな部材（１３０４）どうしが接触し、複数のビーズ（１３０２）を、最初の位置に戻す。一実施形態においては、アクチュエータ（１４０６）に関する補助として、第２アクチュエータ（図示せず）を設けることができる。この第２アクチュエータは、複数のフレキシブルな部材（１３０４）の他端に対して取り付けられ、アクチュエータ（１４０６）と交互的に動作する。これにより、乳房に沿っての複数のビーズ（１３０２）の前進移動および後進移動がもたらされる。使用者は、フレキシブルな部材（１３０４）の張力および振動周波数を、図１のコントローラ（１０２）によって制御することができ、乳房刺激効果を最大化することができる。
【００３５】
図１５は、ブラジャー（２０２）に対して取り付けられた搾乳機構（１５１４）を示している。この場合、収集システム（１１２）の図示は、明瞭化のために省略されている。搾乳機構（１５１４）は、フィンガー（１５０４）の長手方向に沿ってアレイ状でもって配置された複数のボールや複数のローラや複数のビーズ（１５０２）によって、乳房に対して作用する。フィンガー（１５０４）は、乳房の概形を形成し、複数のビーズ（１５０２）を乳房に対して押圧する。
【００３６】
図１６は、モータ（１６０６）が、ブラジャー（２０２）に対して固定されていて、乳房に沿って複数のビーズ（１５０２）を転動させるようにしてフィンガー（１５０４）に対して作用することを、示している。複数のビーズ（１５０２）の転動は、乳頭からの搾乳を引き起こし得るようなあるいは乳頭からの搾乳を補助し得るような、マッサージ効果をもたらす。使用者は、モータ（１６０６）による振動周波数を、図１のコントローラ（１０２）によって制御することができ、乳房刺激効果を最大化することができる。いくつかの実施形態においては、フィンガー（１５０４）は、乳頭に向けて移動する際に最大圧力をもたらし、乳頭から遠ざかる復帰移動の際には、小さな圧力しかもたらさない。
【００３７】
図１７は、ブラジャー（２０２）に対して取り付けられた搾乳機構（１７１４）を示している。この場合、収集システム（１１２）の図示は、明瞭化のために省略されている。搾乳機構（１７１４）は、乳頭の周囲において乳頭に対して放射状をなすようにして配置された複数のペグ状部材（１７０２）によって、乳房に対して作用する。これらペグ状部材（１７０２）は、乳房がなす円弧に沿って揺れ動くことができ、これにより、搾乳を引き起こし得るようなあるいは搾乳を補助し得るような、マッサージ効果をもたらす。好ましくは、複数のペグ状部材（１７０２）は、上側ストリング（１７０４）と下側ストリング（１７０６）とに対して、取り付けられる。上側ストリング（１７０４）は、各ペグ状部材（１７０２）の外側端を挿通しており、下側ストリング（１７０６）は、各ペグ状部材（１７０２）の内側端を挿通している。各ストリング（１７０４，１７０６）は、複数のペグ状部材（１７０２）を乳房近傍に維持することを補助する。各ストリング（１７０４，１７０６）は、取付箇所（１７０８）に対して一端を固定することができる。この場合、取付箇所（１７０８）は、ブラジャー（２０２）の前方中央部分とされている。
【００３８】
図１８は、両ストリング（１７０４，１７０６）が、アクチュエータ（１８１０）に対して連結されていること、および、アクチュエータ（１８１０）が、ブラジャー（２０２）に対して固定されていることを、示している。アクチュエータ（１８１０）は、各ストリングに対しての個別的連結（図示は個別的な図示ではないけれども）を介して、各ストリングの露出長さを低減するように、上側ストリング（１７０４）と下側ストリング（１７０６）とを、交互に引っ張る。図示の実施形態においては、両ストリング（１７０４，１７０６）は、ストリング案内部材（個別的なものとして図示されていない）を介して、搾乳機構（１７１４）の上側および下側へと延在している。この案内部材は、ブラジャー（２０２）に対して固定することも、また、ストリングから垂下することも、できる。両ストリング（１７０４，１７０６）を交互的に引っ張ることにより、円の外側部分が収縮し、その後、この外円部分の収縮が解除され、内円部分が収縮する。アクチュエータは、この動作を繰り返す。これにより、ペグ状部材（１７０２）の揺動が得られる。使用者は、上記実施形態と同様に、アクチュエータ（１８１０）による振動周波数を、図１のコントローラ（１０２）によって制御することができる。いくつかの実施形態においては、ストリング（１７０４，１７０６）の少なくともいくらかの部分を、ブラジャーに対して固定し、乳房表面に沿っての位置ズレを防止する。そのような固定は、搾乳機構（１７１４）を上述のようにして機能させ得るようにしつつ、任意の手法によって行うことができる。
【００３９】
図１９は、ブラジャー（２０２）に対して取り付けられた搾乳機構の他の実施形態（１９１４）を示している。この場合、収集システム（１１２）の図示は、明瞭化のために省略されている。搾乳機構（１９１４）は、ケーブル（１９０４）の長手方向に沿ってアレイ状でもって配置された複数のボールや複数のローラや複数のビーズ（１９０２）によって、乳房に対して作用する。図１９Ａは、ケーブル（１９０４）が、フレキシブルなケーブル（１９０４）内に収容されたワイヤ（１９０６）を有していることを示している。ワイヤ（１９０６）には、複数のビーズ（１９０２）が堅固に取り付けられている。ケーブル（１９０４）の一端に対してトルクが印加されることによって、ケーブル（１９０４）の長さ全体にわたっての捻れが引き起こされる。これにより、複数のビーズ（１９０４）が回転する。これにより、乳房上の様々な箇所において加圧がもたらされる。
【００４０】
図２０は、ブラジャー（２０２）に対して取り付けられた搾乳機構（２０１４）を示している。この場合、収集システム（１１２）の図示は、明瞭化のために省略されている。搾乳機構（２０１４）は、乳房に沿って乳頭領域からスポーク状でもって外向きに放射状に配置された複数の螺旋部材（２００２）によって、乳房に対して作用する。複数の螺旋部材（２００２）は、乳房の形状に適合し、螺旋に沿った複数の領域において乳房に対して当接することができる。螺旋部材（２００２）は、駆動支持体（２００４）および受動支持体（２００６）によって、ブラジャー（２０２）に対して支持されていて保持されている。複数の螺旋部材（２００２）は、各螺旋部材（２００２）の一部が各螺旋部材の長手方向軸に沿って回転自由であるとともに各螺旋部材の他の部分がブラジャー（２０２）に対して固定されているようにして、ブラジャー（２０２）に対して取り付けられている。駆動支持体（２００４）は、モータ（２０１２）（図２０Ａ）からの回転入力部材（２０１０）（図２０Ａ）が各駆動支持体（２００４）を回転駆動し得るものとされたさらには複数の螺旋部材（２００２）を回転駆動し得るものとされた伝達リング（２００８）に対して、連結されている。図示の実施形態においては、ラックと複数のピニオンとを使用することによって、複数の螺旋部材（２００２）の回転が引き起こされている。しかしながら、他の任意のシステムを使用することによっても、上記機能を果たさせ得るようにして、複数の螺旋部材（２００２）を回転駆動することができる。
【００４１】
複数の螺旋部材（２００２）の回転移動により、複数の螺旋部材（２００２）と乳房との間の複数の接触領域が、乳頭に向けて移動し、これにより、乳頭からの搾乳を引き起こし得るようなあるいは乳頭からの搾乳を補助し得るような作用をもたらす。これに代えて、伝達リング（２００８）付きの駆動支持体（２００４）を、デバイスの外周縁位置に配置し、かつ、複数の螺旋部材（２００２）の受動支持体（２００６）を、乳頭近傍において機構（２０１４）の内方リング箇所に配置することができる。使用者は、複数の螺旋部材（２００２）の振動周波数を、図１のコントローラによって制御することができ、システムの動作効率を最大化することができる。
【００４２】
図２１は、ブラジャー（２０２）に対して取り付けられた搾乳機構の他の実施形態（２１１４）を示している。この場合、収集システム（１１２）の図示は、明瞭化のために省略されている。乳房上に配置されたリング（２１０２）が、乳頭に向けての収縮を引き起こす。リング（２１０２）は、膨張状態においては、張力をもたらし、複数の径方向圧縮ステイすなわちリブ（２１０４）によって膨張状態に維持される。図２２は、リング（２１０２）が、複数の径方向張力部材（２２０６）によって収縮されることを、示している。複数の径方向張力部材（２２０６）は、複数の径方向圧縮ステイ（２１０４）に対して作用し、リング（２１０２）を収縮可能とする。径方向張力部材（２２０６）による張力を解除したときには、径方向圧縮ステイ（２１０４）が、リングを膨張状態へと復帰させる。
【００４３】
リング（２１０２）は、ゴム状材料または弾性材料から形成することができる。これに代えて、リングは、互いにスライド可能とされた複数の剛直部材から形成することができる。径方向張力部材および径方向圧縮部材は、リング（２１０２）の縮径および拡径を引き起こし、これにより、乳房をマッサージする。ある実施形態においては、リング（２１０２）が、内側リング（２１０６）の回転によって、収縮する。張力部材（２１０６）は、一端がリング（２１０２）に対して連結されているとともに、乳頭に向けて径方向に延在しており、ガイド（２１１６）を介して内側リング（２１１０）に対して連結されている。内側リング（２１１０）が回転したときには、内側リング（２１１０）に対して連結された張力部材（２１０６）の端部が、ガイド（２１１６）につれて移動し、これにより、張力部材（２１０６）のうちの、リング（２１０２）に対して連結されている端部を、ガイド（２１１６）に向けて引っ張り、リング（２１０２）を縮径させる。内側リング（２１１０）の回転は、ブラジャー（２０２）に対して固定されたモータによって、あるいは、内側リング（２１１０）を回転させ得る他の任意の機構によって、引き起こすことができる。張力部材（２１０６）に対して張力を印加し得るような他の任意のシステムを、同様にして使用することができる。
【００４４】
図２３および図２３Ａは、ブラジャー（２０２）に対して取り付けられた搾乳機構の他の実施形態（２３１４）を示している。この場合、収集システム（１１２）の図示は、明瞭化のために省略されている。搾乳機構（２３１４）は、ブラジャー（２０２）に形成された螺旋部材（２３０２）によって、乳房に対して作用する。螺旋部材（２３０２）の両端部は、ブラジャー（２０２）に対して取り付けられている。螺旋部材（２３０２）は、その長さが拡大したり縮小したりし得るように構成されており、これにより、螺旋部材が径方向に拡縮し得るものとされている。中央配置されたまたは外側エッジに配置されたモータ（図示せず）によって、螺旋部材（２３０２）に対して張力を付与したりあるいは解除したりすることにより、螺旋部材（２３０２）の長さ変化を誘起することができる。これにより、螺旋部材の巻きを強めたり弱めたりすることができ、乳房をマッサージすることができる。しかしながら、しかしながら、他の任意の機構を使用することによっても、第１端部と第２端部との間において螺旋部材（２３０２）の長さを変化させることができる。
【００４５】
図２４および図２５は、ブラジャー（２０２）に対して取り付けられた搾乳機構（２４１４）を示している。この場合、収集システム（１１２）の図示は、明瞭化のために省略されている。搾乳機構（２４１４）は、乳房に沿って乳頭領域からスポーク状でもって外向きに放射状に配置された複数のフレキシブルフィンガー（２４０２）によって、乳房に対して作用する。複数のフレキシブルフィンガー（２４０２）は、乳房の形状に適合し、これにより、これらフレキシブルフィンガーの長さに沿った領域において乳房またはブラジャー（２０２）に対して当接することができる。複数のフレキシブルフィンガー（２４０２）は、伝達リング（２４０４）によって、互いに連結されている。伝達リング（２４０４）により、電磁的アクチュエータまたは気圧的アクチュエータ（図示せず）からの単一の回転入力によって、各フレキシブルフィンガー（２４０２）を回転駆動することができる。各フレキシブルフィンガー（２４０２）は、これらの長手方向に沿って配置された１つまたは複数の関節（個別的には図示されていない）を有することができる。これら関節は、回転駆動されたときには、フレキシブルフィンガー（２４０２）を巻くことができる。複数の関節は、最も外のエッジのところにおいて関節を挿通してフィンガー（２４０２）に取り付けられた腱と同様の態様でもって、張力部材（図示せず）を引っ張ることによって、回転させることができる。張力部材による張力が解除されたときには、関節の中央に配置された張力スプリング（図示せず）によって、あるいは、関節が使用されていない場合にはフィンガー自体の弾性によって、複数のフィンガー（２４０２）を、外側位置すなわち直線状態へと復帰させることができる。このようにして、複数のフィンガー（２４０４）は、乳頭から最も遠い端部（２４０６）において、まず最初に乳房に対して接触する。関節が回転するにつれて、複数のフィンガー（２４０２）が巻かれていき、フレキシブルフィンガー（２４０２）と乳房との間の接触領域が、乳頭に向けて移動していく。これにより、乳頭からの搾乳を引き起こすことができるあるいは乳頭からの搾乳を補助することができる。
【００４６】
図２５，図２５Ａ，図２５Ｂに示すような他の実施形態においては、複数のフレキシブルフィンガー（２５０２）は、加熱されることによってあるいは電気エネルギーが印加されることによって複数の冶金的形態の間にわたってスイッチングされ得るような金属から、形成することができる。例えば、使用し得る形状記憶金属の一例は、ニチノール（登録商標）である。フレキシブルフィンガー（２５０２）に対して電流が通電されると、各フレキシブルフィンガーが、撓むこととなる。図２５Ａは、フレキシブルフィンガー（２５０２）に対する電流通電を変更することによって、マッサージ効果が得られることを示している。例えば、状態１に示すようなフレキシブルフィンガー（２５０２）から電流を除去すると、フレキシブルフィンガーは、フラットとなって伸びることができる。また、電流を通電すると、状態２に示すように、フレキシブルフィンガーは、収縮することによって、接触領域を乳頭近傍へと移動させる。しかしながら、電流通電や加熱に関しては、他の任意の変更手法を使用することができる。
【００４７】
これに代えて、フレキシブルフィンガー（２５０２）は、気圧的に駆動することができる。フレキシブルフィンガー（２５０２）を加圧したりあるいは減圧したりすることにより、フレキシブルフィンガーの形状を変化させて、内方に向けてのマッサージ力を得ることができる。例えば、図２５Ｂに示すように、フレキシブルフィンガー（２５０２）は、状態１で示すように、加圧されたときには、巻きを解くことができる。フレキシブルフィンガー（２５０２）のうちの、乳房に対して圧力をもたらしている接触ポイントは、フレキシブルフィンガー（２５０２）の基部から遠い位置から、伝達リング（２４０２）に近い位置に向かうというパターンでもって、移動する。
【００４８】
図２６は、ブラジャー（２０２）に対して取り付けられた他の搾乳機構（２６１４）を示している。この場合、収集システム（１１２）の図示は、明瞭化のために省略されている。搾乳機構（２６１４）は、互いに個別的な複数の加圧ポイント（２６０２）によって、乳房に対して作用する。これら加圧ポイント（２６０２）は、圧電材料から、あるいは、例えばニチノール（登録商標）といったような形状記憶金属から、形成することができる。いずれの場合でも、複数の加圧ポイント（２６０２）は、これら加圧ポイント（２６０２）に対する配線システム（図示せず）を介して供給された電流によって、駆動することができる。加えて、他の実施形態においては、加圧ポイント（２６０２）に対して、超音波振動や音波振動や磁気を使用することができる。その場合、導体が、加圧ポイント（２６０２）のところにおけるトランスデューサに対して駆動電流を案内する。複数の加圧ポイント（２６０２）は、乳房に対しての当接領域を押圧し、これにより、乳房を刺激する。加圧が解除されたときには、複数の加圧ポイント（２６０２）は、乳房を押圧しない。複数の加圧ポイント（２６０２）は、乳頭の周囲において同心円状に配置することができ（あるいは、他の放射状パターンでもって配置することができ）、周期的に加圧を行うことができるあるいは他の方法で駆動することができる。これにより、搾乳を補助し得るような、乳房に対しての圧力パターンを生成することができる。使用者は、複数の加圧ポイント（２６０２）によって印加される圧力や周波数や刺激パターンを、コントローラ（１０２）（図１）によって制御することができ、乳房刺激効果を最大化することができる。いくつかの実施形態においては、各加圧ポイント（２６０２）とコントローラ（１０２）との間は、個別的に接続される。しかしながら、他の実施形態においては、コントローラ（１０２）に対して共通の接続線によって接続された一連をなす複数の加圧ポイントを使用することができる。
【００４９】
図２７は、搾乳機構の他の実施形態（２７１４）を示している。従来のブラジャー（２７０４）に対して、上述したうちの任意の搾乳機構と収集容器（図示せず）とを備えてなる着脱可能デバイス（２７０２）を、使用することができる。このデバイス（２７０２）は、まず最初に、使用者の従来のブラジャー（２７０４）内に挿入され、使用者が快適であるようにして配置される。このデバイス（２７０２）を使用することによって、乳房の一領域を一度に刺激することができる。所望に応じて、女性は、乳房の他の領域を刺激し得るように、デバイス（２７０２）を再配置することができる。母乳は、上述したようにして、ダクトまたは収集チューブ（２７０６）を介して収集される。収集チューブ（２７０６）は、近傍に配置された収集容器（図示せず）内に母乳を収集する。この実施形態は、上述した様々な搾乳機構に関するいずれの実施形態を使用した場合でも、有効であると考えられる。
【００５０】
本発明によるいくつかの実施形態の機能は、図２８に示すような単純なプロセス（２８００）によって得られる。ステップ（２８１０）においては、母親（あるいは、乳母）は、母乳をポンピングする必要性を決定する。ステップ（２８１５）においては、母親は、母乳ポンピングシステムの動作に必要な部材を準備する。ステップ（２８２０）においては、母親は、新品の母乳収集容器を取り付け、その後、一方または双方の乳房に対してシールドを配置してシールを行い、さらに、電源を準備することによって、母乳ポンピングシステムを準備する。ステップ（２８２５）においては、母親は、入力パラメータを設定する。ステップ（２８３０）においては、ポンプを駆動させて、母乳を収集容器へと案内して収集する。ステップ（２８３５）においては、母親が十分な量の母乳を収集したことを確認した時点で、あるいは、コントローラの時間設定によって、ポンピングを終了する。ステップ（２８４０）においては、母親は、収集容器を取り外す。ステップ（２８４５）においては、母親は、収集容器をシールしてラベル付けを行う。ステップ（２８５０）においては、収集容器を、必要になるまで、格納する。ステップ（２８５５）においては、母親は、すべての構成要素を取り外す。ステップ（２８６０）においては、母乳ポンピングシステムを洗浄する。ステップ（２８６５）においては、母親がポンピングを所望する次回まで、母乳ポンピングシステムを格納する。
【００５１】
本発明は、多数の利点を有している。本発明は、母親にとって時間節約型のデバイスである。外部取付型の構成であることにより、両手を自由として子供の面倒を見たりあるいは他の用事をしたりすることができる。両方の乳房を同時にシールドすることにより、搾乳機構によって両方の乳房から同時に搾乳を行うことができる。これに対して、一方の乳房のみに関連した他のポンピング方式では、同じ操作を２回行う必要がある。貴重な母乳が浪費されることはない。それは、母親が、規則的な予定に従って搾乳を行い得るからである。乳児は、母乳の恩恵を受け、母親は、非在宅時に授乳するための母乳を貯蔵しておくことができる。
【００５２】
上記においては、特定の部材や形状や材質や機能やモジュールについて説明した。しかしながら、当業者であれば、本発明によるシステムの形成に際して様々な手法が存在すること、および、上記のものを代替し得るような様々な部材や構成要素やモジュールや機能が存在すること、を理解されるであろう。上記の詳細な説明においては、多様な実施形態に対して適用された場合の本発明による新規な基本的特徴点を例示して説明しさらに指摘した。しかしながら、当業者であれば、本発明の精神および本質的特徴点を逸脱することなく、例示された様々な構成要素の態様や細部に関して様々な省略や置換や変更を加え得ることは、理解されるであろう。
【図面の簡単な説明】
【００５３】
【図１】本発明による母乳搾乳システムの一実施形態を示すブロック図である。
【図２】図１の母乳搾乳システムにおける母乳収集システムの一実施形態を示す斜視図である。
【図３】図２の母乳収集システムにおいて使用されているカップを、図２における３−３線に沿って示す側断面図である。
【図４】図１の母乳搾乳システムにおける母乳収集システムの他の実施形態を、図２における４−４線に沿って示す側断面図である。
【図５】図１の母乳搾乳システムにおける母乳収集システムの他の実施形態を示す斜視図である。
【図６】図５の母乳収集システムにおいて使用される収集容器の一実施形態を示す斜視図である。
【図７】収集容器の一実施形態を示す斜視図であって、図２の母乳収集システムにおける使用を示している。
【図８】図１の母乳搾乳システムにおける搾乳機構の一実施形態を示す斜視図であって、複数の加圧チャンバを有している。
【図９】図８の搾乳機構における加圧チャンバを、図８における９−９線に沿って示す側断面図である。
【図１０】図１の母乳搾乳システムにおける搾乳機構の他の実施形態を示す斜視図であって、複数列をなす複数の加圧チャンバを有している。
【図１１】図１０の搾乳機構における複数列をなす加圧チャンバを、図１０における１１−１１線に沿って示す側断面図である。
【図１２】図１の母乳搾乳システムにおける搾乳機構の他の実施形態を示す斜視図であって、互いに個別的な複数の加圧ポイントを有している。
【図１３】図１の母乳搾乳システムにおける搾乳機構のある実施形態を示す斜視図であって、複数のフレキシブルな部材上にアレイ状で配置された複数のビーズを有している。
【図１４】図１３における複数のフレキシブルな部材を示す側面図であって、アクチュエータに対して取り付けられている。
【図１５】図１の母乳搾乳システムにおける搾乳機構の他の実施形態を示す斜視図であって、フレキシブルなフィンガー上にアレイ状で配置された複数のビーズを有している。
【図１６】図１５におけるフレキシブルなフィンガーを示す側面図であって、モータに対して取り付けられている。
【図１７】図１の母乳搾乳システムにおける搾乳機構の他の実施形態を示す斜視図であって、複数のストリング上に配置された複数のペグ状部材を有している。
【図１８】図１７における複数のストリングを示す側面図であって、アクチュエータに対して取り付けられている。
【図１９】図１の母乳搾乳システムにおける搾乳機構の他の実施形態を示す斜視図であって、ケーブル上に配置された複数のビーズを有している。
【図１９Ａ】図１９におけるケーブルを示す図である。
【図２０】図１の母乳搾乳システムにおける搾乳機構のある実施形態を示す斜視図であって、複数の螺旋部材を有している。
【図２０Ａ】図２０に示す搾乳機構における伝達リングとモータと回転入力部材とを示す正面図である。
【図２１】図１の母乳搾乳システムにおける搾乳機構の他の実施形態を示す斜視図であって、拡縮リングを有している。
【図２２】圧縮部材と張力部材とを有してなる図２１の拡縮リングを、図２１における２２−２２線に沿って示す側断面図である。
【図２３】図１の母乳搾乳システムにおける搾乳機構の他の実施形態を示す斜視図であって、拡縮性螺旋部材を有している。
【図２３Ａ】搾乳機構における螺旋巻線部材を、システムの他の部分とは個別的に示す正面図である。
【図２４】図１の母乳搾乳システムにおける搾乳機構のある実施形態を示す斜視図であって、複数のフレキシブルフィンガーを有している。
【図２５】図２１の複数のフレキシブルフィンガーを、図２４における２５−２５線に沿って示す側断面図である。
【図２５Ａ】図２５の搾乳機構における複数のフレキシブルフィンガーのうちのある１つのフレキシブルフィンガーを示す側面図であって、電流通電の影響によるこのフレキシブルフィンガーの動きを示している。
【図２５Ｂ】図２５の搾乳機構における複数のフレキシブルフィンガーのうちのある１つのフレキシブルフィンガーを示す側面図であって、加圧の影響によるこのフレキシブルフィンガーの動きを示している。
【図２６】図１の母乳搾乳システムにおける搾乳機構のある実施形態を示す斜視図であって、互いに個別的な複数の加圧ポイントを有している。
【図２７】図１の母乳搾乳システムの他の実施形態を示す斜視図であって、従来的なブラジャー内において搾乳システムを再配置し得るようになっている。
【図２８】図１の母乳搾乳システムの使用方法を示すフローチャートである。
【符号の説明】
【００５４】
１１２  母乳収集システム
１１４  搾乳機構
２０４  乳頭カップ（収集カップ）
２１２  収集容器
３０２  乳頭シールド（乳房シールド）
５０２  収集容器
７１２  収集容器
８０２  加圧チャンバ
１００２  加圧チャンバ
１２０２  駆動ポイント
１２１４  搾乳機構
１３０２  ビーズ
１３０４  フレキシブルな部材
１３１４  搾乳機構
１５０２  ビーズ
１５０４  フィンガー
１５１４  搾乳機構
１７０２  ペグ状部材
１７０４  上側ストリング
１７０６  下側ストリング
１７１４  搾乳機構
１９０２  ビーズ
１９０４  ケーブル
１９１４  搾乳機構
２００２  螺旋部材
２０１４  搾乳機構
２１０２  リング
２１０４  径方向圧縮ステイ
２１１４  搾乳機構
２２０６  径方向張力部材
２３０２  螺旋部材
２３１４  搾乳機構
２４０２  フレキシブルフィンガー
２４１４  搾乳機構
２５０２  フレキシブルフィンガー
２６０２  加圧ポイント
２６１４  搾乳機構
２７０２  着脱可能デバイス
２７１４  搾乳機構
【図１】
2005504587.tif 000003
【図９】
2005504587.tif 000004
【図１６】
2005504587.tif 000005
【図２２】
2005504587.tif 000006
【図２８】
2005504587.tif 000007
【国際公開パンフレット】
2005504587.tif 000008
2005504587.tif 000009
2005504587.tif 000010
2005504587.tif 000011
2005504587.tif 000012
2005504587.tif 000013
2005504587.tif 000014
2005504587.tif 000015
2005504587.tif 000016
2005504587.tif 000017
2005504587.tif 000018
2005504587.tif 000019
2005504587.tif 000020
2005504587.tif 000021
2005504587.tif 000022
2005504587.tif 000023
2005504587.tif 000024
2005504587.tif 000025
2005504587.tif 000026
2005504587.tif 000027
2005504587.tif 000028
2005504587.tif 000029
2005504587.tif 000030
2005504587.tif 000031
2005504587.tif 000032
2005504587.tif 000033
2005504587.tif 000034
2005504587.tif 000035
2005504587.tif 000036
2005504587.tif 000037
2005504587.tif 000038
2005504587.tif 000039
2005504587.tif 000040
2005504587.tif 000041
2005504587.tif 000042
2005504587.tif 000043
2005504587.tif 000044
2005504587.tif 000045
2005504587.tif 000046
2005504587.tif 000047
2005504587.tif 000048
2005504587.tif 000049
2005504587.tif 000050
2005504587.tif 000051
2005504587.tif 000052
2005504587.tif 000053
2005504587.tif 000054
【国際公開パンフレット（コレクトバージョン）】
2005504587.tif 000055
2005504587.tif 000056
【国際公開パンフレット（コレクトバージョン）】
2005504587.tif 000057
2005504587.tif 000058
2005504587.tif 000059
2005504587.tif 000060
2005504587.tif 000061
2005504587.tif 000062
2005504587.tif 000063
2005504587.tif 000064
2005504587.tif 000065
2005504587.tif 000066
2005504587.tif 000067
2005504587.tif 000068
2005504587.tif 000069
2005504587.tif 000070
2005504587.tif 000071
2005504587.tif 000072
2005504587.tif 000073
2005504587.tif 000074
2005504587.tif 000075
2005504587.tif 000076
2005504587.tif 000077
2005504587.tif 000078
2005504587.tif 000079
2005504587.tif 000080
2005504587.tif 000081
2005504587.tif 000082
2005504587.tif 000083
2005504587.tif 000084
2005504587.tif 000085
2005504587.tif 000086
2005504587.tif 000087
2005504587.tif 000088
2005504587.tif 000089
2005504587.tif 000090
2005504587.tif 000091
2005504587.tif 000092
2005504587.tif 000093
2005504587.tif 000094
2005504587.tif 000095
2005504587.tif 000096
2005504587.tif 000097
2005504587.tif 000098
2005504587.tif 000099
2005504587.tif 000100
2005504587.tif 000101
2005504587.tif 000102
2005504587.tif 000103
【国際調査報告】
2005504587.tif 000104